(57)【要約】パルスランプシステムは複数のランプ（１４、１８）を有しており、共通の電子機器（１２）でパルスを提供し、コーティングの硬化、接着剤の硬化、傾斜マネージメント、光ディスク初期化等の処理を行う。
2004528670.tif 000002
【特許請求の範囲】
【請求項１】
パルスランプシステムであって、
対象物の１側部に配置された第１ランプと、
対象物の別側部に配置された第２ランプと、
前記第１ランプと第２ランプのそれぞれに前記対象物に対して別々の時間にパルスを提供させる制御システムと、
を含んで構成されるパルスランプシステム。
【請求項２】
制御システムはコントローラと、キャパシタバンクと、パルス形状化回路とを含んでおり、該コントローラは該キャパシタバンクから提供される電圧と該パルス形状化回路により提供される形状でパルスを発生させることを特徴とする請求項１記載のパルスランプシステム。
【請求項３】
コントローラは第１ランプと第２ランプに交互にパルスを提供させることを特徴とする請求項１記載のパルスランプシステム。
【請求項４】
１ランプによって１パルスが他方のランプにより１パルスが提供される前に提供されることを特徴とする請求項３記載のパルスランプシステム。
【請求項５】
１ランプによって複数のパルスが他方のランプにより１パルスが提供される前に提供されることを特徴とする請求項３記載のパルスランプシステム。
【請求項６】
ランプは不等数のパルスを提供することを特徴とする請求項１記載のパルスランプシステム。
【請求項７】
それぞれのランプによって提供されるパルス数は対象物の歪みを変更するように設計されることを特徴とする請求項６記載のパルスランプシステム。
【請求項８】
対象物はＤＶＤであり、ランプは該ＤＶＤの層間の接着剤の硬化に利用されることを特徴とする請求項１記載のパルスランプシステム。
【請求項９】
光ディスクの初期化方法であって、１０００μ秒以下でフラッシュランプからパルスを光ディスクに照射するステップを含んでいることを特徴とする方法。
【請求項１０】
ランプは光ディスクから１インチ以下で離れていることを特徴とする請求項９記載の方法。
【請求項１１】
パワーは光ディスクを傷めることなく初期化できるものであることを特徴とする請求項１０記載の方法。
【請求項１２】
ランプは直線状または螺旋状であって、クォーツまたはサファイヤ製であることを特徴とする請求項９記載の方法。
【請求項１３】
複数のパルスは０.１秒から１０秒間提供されることを特徴とする請求項９記載の方法。
【請求項１４】
光ディスク全体が同時にフラッシュランプに露出されることを特徴とする請求項９記載の方法。
【請求項１５】
対象物の１側部に配置された第１ランプと対象物の別側部に配置された第２ランプとを有したパルスランプシステムの使用方法であって、
該第１ランプと第２ランプのそれぞれに対象物に対して別々の時間にパルスを照射させるステップを含んでいることを特徴とする方法。
【請求項１６】
コントローラが第１ランプと第２ランプに交互にパルスを発生させることを特徴とする請求項１５記載の方法。
【請求項１７】
１ランプによって１パルスが他方のランプによって１パルスが提供される前に提供されることを特徴とする請求項１６記載の方法。
【請求項１８】
１ランプによって複数のパルスが他方のランプによって１パルスが提供される前に提供されることを特徴とする請求項１６記載の方法。
【請求項１９】
ランプは不等数のパルスを提供することを特徴とする請求項１５記載の方法。
【請求項２０】
パルスの数とタイミングは対象物の歪みを矯正するように設計されていることを特徴とする請求項１５記載の方法。
【発明の詳細な説明】
【技術分野】
【０００１】
本願は２００１年５月４日出願の米国特許願６０/２８８７３３の優先権を主張し、２００２年３月２５日出願の特許願１０/１０５７９７の継続出願である。
【背景技術】
【０００２】
ディスク間の接着剤の硬化処理や初期化処理のため等、光学保存媒体の製造にパルス光を使用することは知られている。知られたパルス光システムは電源、電源で荷電されたキャパシタバンク、パルス高とパルス幅の形状を整えるパルス形状化回路およびランプを含んでいる。ＷＯ００/２６０２９で解説されているようにランプは螺旋ランプでもよい。特にＣＤやＤＶＤのごとき光媒体の処理に使用される場合には螺旋ランプが使用できる。
【発明の開示】
【０００３】
一部の機器が共通で、一部の機器がそれぞれのランプに対して別々である場合もあろうが、好適には１セットの電子機器で操作されるシステムと方法は複数のランプを利用する。これら複数のランプは交互シーケンス等の多様なシーケンスで利用される。一部または全部の電子機器が共通である場合にはコストやスペースの問題は軽減される。
【０００４】
そのシステムおよび方法はコーティングの硬化処理や接着のため、ＣＤやＤＶＤ等の光学保存媒体のごとき異なるタイプの対象物に対して利用できよう。そのシステムおよび方法は、幾分かの傾斜あるいは歪みを有した対象物に対して幾分かの補正を提供することでＤＶＤまたは他の対象物の傾斜マネージメントの目的で利用できる。
【０００５】
複数のランプを使用したこの方法は製品の異なる側にフラッシュランプを提供することが望ましい半導体、フラットパネル表示装置、眼鏡レンズその他製品製造の高速処理をも助ける。
【０００６】
本発明はいくつかの利用面を有している。これには、パルスを１方側から提供し、続いて他方側から提供することができるように別々に起動することができる複数のランプで対象物にパルス光を提供するためのシステムが含まれる。本発明はさらにパルスを提供するために１ランプを起動させ、続いてパルスを提供する別のランプ（第３、第４…のランプも可能）を起動させ、それらパルスを一方のランプから他方のランプあるいは別ランプに提供される同一のものとなるように制御する方法も提供する。
【０００７】
これら装置と方法はフラッシュランプを使用して短パルス（１０００μ秒以下）を提供し、光ディスクを初期化することも含む。光ディスクは好適にはパルスランプに対して全体的に露出される。エネルギーは好適には１インチ以下のごとき短距離から低パワーで提供される。ランプとディスクとのこの接近度は表面温度を急速に上昇および降下させるために表面ダメージは回避される。
【０００８】
本発明の他の特徴と利点は以下の詳細な説明で明らかとなろう。
【発明を実施するための最良の形態】
【０００９】
図１で示す装置は米国のキセノンコーポレーション社が販売するＲＣ-７４２パルスランプシステムで使用されるもののごときフラッシュランプ機器を含むことができる。このランプシステムは電源１０、短パルスを提供する回路１２、およびパルスランプ１４と１８を含んでいる。使用ガスはキセノンでよい。回路１２はエネルギー保存部（キャパシタバンク）２０およびパルス形状化回路２２を有している。ランプ１４と１８にはランプにパルスを提供させるコントローラ２４から別々のトリガーが提供される。
【００１０】
ランプは幾種類かのランプの１つでよい。ランプの形状は通常の線形または螺旋形でよい。ランプは一般的に容器内に収容され、ＤＶＤなどの光ディスク等の対象物１６にパルス光を提供する。パルスは窓部を通して提供できる。対象物の加熱を阻止するために窓部は赤外線部分等のパルス光の一部の波長をフィルターすることができる。ランプシステムは旋風具や空冷器等の通常の冷却機能を含むこともできる。
【００１１】
それぞれマイクロプロセッサ、プログラマブルロジックアレイ、あるいは他のロジック、計算あるいはタイミングデバイス等のコントローラによって別々に起動される複数のランプの使用で、それらランプをコントロールして第１ランプからパルスを発生させ、続いて第２ランプからパルスを発生させて充分な数のパルスが目的のために使用されるまで交互に提供することができる。前後の単純な交互提供ではなく、このシステムは他方のランプがパルスを発生する前に１つのランプに複数のパルスを発生させ、あるいは１側部にパルストレーンを提供し、続いて他方側に提供することができる。図２はいくらかの連続パルスと交互提供のパターンの１例を示す。
【００１２】
適用方法によっては異なるがパルスは好適には同時に提供されない。同時的使用の場合には機器のさらなる平行利用が必要となる。図１の実施例は実質的に同時利用形態を有していない。
【００１３】
本発明の装置をパルス形状回路を制御することで交互であるが同一パルスを提供するものとして解説してきたが、コントローラは１つのランプから提供される１特徴を有したパルスと別ランプから提供される異なる特徴を有したパルスを連続パルスとして発生させることができる。
【００１４】
このシステムは製品の変形の補正を助けるように使用できる。ＤＶＤの分野では１タイプの変形は傾斜マネージメントと呼称されるが、この利点は曲がりや歪みタイプの変形の可能性があるいかなる製品にも適用できる。２枚の基板が接着され、接着剤がパルス光で硬化されるＤＶＤの場合には、傾斜は接着工程で導入されるが、基板の製造工程で導入することもできる。適正にパルスを交互発生させることで、製品と傾斜程度によってはその傾斜は少なくとも部分的に補正される。この補正は１側部でのさらに多くのパルスの使用と、続く他方側部でのパルスの使用、あるいは交互のパルストレーンの使用で提供できる。
【００１５】
これらパルスはディスクの凹凸を変更する可能性があるのでシステムは基板が製造されるとき、または接着されるときに導入される傾斜の補正を提供する。機械による視覚検査と部品の検査で使用されるものに類似した検査技術の使用でシステムは歪みの程度を決定でき、パルスを調整することができる。
【００１６】
傾斜マネージメントを提供するのに使用されるこのシステムは複数のランプの共通機器を有しているものとして説明されているが、それら機器を別々に利用したり別々に制御することもできる。共通機器の数はコスト、必要性、および制御パラメータに関係する要素である。
【００１７】
このシステムはフラットパネル表示装置や眼鏡レンズ等の製造でのごとくパルス光が望ましい他の処理にも使用できる。
【００１８】
初期化は光ディスクにも提供できる。光ディスクの全表面は処理ダメージを引き起こさず、ノイズ低減の追加的な利点を伴ってフラッシュランプに露出できる。処理時間は約１秒から３秒であり、これは２０秒以上を要する知られたレーザー法よりも短い。さらにレーザーはフラッシュランプよりも寿命が短い。
【００１９】
初期化の方法はＲＣ-７４２パルスランプシステムで実施された。システムの作動パラメータの例示範囲は次のようなものである。
【００２０】
パルス時間：１から１０００μ秒（ピーク値の１/３で測定）
パルス当りのエネルギー：１から２０００ジュール
照射時間：０.１から１０秒
基板からの距離：１インチ以内
ランプ形状：直線または螺旋
ランプタイプ：クォーツ、スプラシル、またはサファイヤ
スペクトル：１００から１０００ナノメータ
ランプ冷却：常温、強制空冷、または水冷
ランプ外波長選択：なし、またはＩＲフィルター
ランプ容器窓：クォーツ、スプラシル、またはサファイア
システムは光ディスクを初期化する方法をも含んでいる。フラッシュランプを使用した他の初期化技術とは異なり、この方法は好適には短パルス（１０００μ秒）を使用し、長い距離から高パワーを使用する従来の方法よりも短い距離からの低パワーで実行される。接近していることの利点は表面温度を急速に上昇させ、急速に降下させ、表面へのダメージを防止する。温度はパルス間で急速に降下する。これらの相違（少なくともこれら相違のいくらかのサブセット）はダメージを与えることなく処理を急速に行わせ、良好なノイズ品質を提供する。フラッシュランプからの磁界は初期化プロセスに有利であると信じられている。よって、このパワーはディスクを傷めることなく約１インチ以下からの位相変化を起させるのに充分である。
【００２１】
この方法は通常のＤＶＤで利用でき、特定タイプの接着剤やＤＶＤ基板に限定されない。方法はＤＶＤの高速製造を助ける。
【００２２】
本発明の実施例を解説した。本発明のスコープを逸脱せずにその実施例を改良することは可能である。例えば、パラメータの範囲、素材、距離、パワー、窓材料の変更、フィルターの使用、およびディスク下側での加熱プレートの使用または他の加熱具あるいは冷却具の使用は本発明の範囲内である。
【図面の簡単な説明】
【００２３】
【図１】図１は双ランプ装置のブロック図である。
【図２】図２は複数ランプのパルスセットの１例である。
【図１】
2004528670.tif 000003
【図２】
2004528670.tif 000004
【国際公開パンフレット】
2004528670.tif 000005
2004528670.tif 000006
2004528670.tif 000007
2004528670.tif 000008
2004528670.tif 000009
2004528670.tif 000010
2004528670.tif 000011
2004528670.tif 000012
2004528670.tif 000013
2004528670.tif 000014
2004528670.tif 000015
【国際調査報告】
2004528670.tif 000016
2004528670.tif 000017